【手続補正書】
【提出日】平成30年2月2日(2018.2.2)
【手続補正１】
【補正対象書類名】明細書
【補正対象項目名】００２６
【補正方法】変更
【補正の内容】
【００２６】
【図１】本発明の第１実施形態に係る電子時計の外観図である。
【図２】第１実施形態に係る電気泳動表示装置の機能ブロック図である。
【図３】第１実施形態に係る表示部及び描画ＩＣの構成示す図である。
【図４】第１実施形態に係る画素の回路構成図である。
【図５Ａ】電気泳動素子の構成例を示す図である。
【図５Ｂ】電気泳動素子の動作の説明図である。
【図５Ｃ】電気泳動素子の動作の説明図である。
【図６】表示部の画像を更新する方法について説明するための図である。
【図７】表示部の表示領域における表示位置を説明するための図である。
【図８】時画像データのフォントの一例を示す図である。
【図９】分画像データのフォントの一例を示す図である。
【図１０】分表示テーブルを示す図である。
【図１１】時表示テーブルを示す図である。
【図１２】時表示位置調整テーブルを示す図である。
【図１３】表示処理の手順を示すフローチャートである。
【図１４】時表示位置の調整を行わない場合の表示部における表示例を示す図である。
【図１５】時表示位置の調整を行った場合の表示部における表示例を示す図である。
【図１６】時画像データの一例を示す図である。
【図１７】時画像データの一例を示す図である。
【図１８】本発明の第２実施形態における標準のフォントを用いた時画像データの表示部における表示例を示す図である。
【図１９】標準のフォントとは異なるフォントを用いた時画像データの表示部における表示例を示すである。
【図２０】標準のフォントを用いた時画像データを説明するための図である。
【図２１】標準のフォントとは異なるフォントを用いた時画像データを説明するための図である。
【図２２】本発明の第３実施形態の表示部における表示例を示す図である。
【図２３】第３実施形態における時表示テーブルを示す図である。
【図２４】第３実施形態における分表示テーブルを示す図である。
【図２５】本発明の第４実施形態の表示部における表示例を示す図である。
【図２６】第４実施形態の表示部における表示例を示す図である。
【図２７】本発明の第４実施形態の表示部における表示例を示す図である。
【図２８】第４実施形態の表示部における表示例を示す図である。
【図２９】電子機器（情報端末）の斜視図。
【図３０】電子機器（電子ペーパー）の斜視図。
【手続補正２】
【補正対象書類名】明細書
【補正対象項目名】００６８
【補正方法】変更
【補正の内容】
【００６８】
次に、表示部４には、全面白色の画像Ｃが表示される。画像Ｂから画像Ｃに更新する際は、まず、すべての画素に正の電圧を印加する全面駆動方式により全面白色の画像を表示させ、次に、画像Ａにおいて白色だった画素には電圧を印加せずに（０Ｖを印加して）画像Ａにおいて黒色だった画素に正の電圧を印加する部分駆動方式により全面白色の画像を再表示させる。部分駆動方式とは、当該方式を用いた駆動（描画）の期間において、（共通電極１３７と画素電極１３５との間の）電位差が生じない画素が存在する駆動方式である。
【手続補正３】
【補正対象書類名】明細書
【補正対象項目名】００８０
【補正方法】変更
【補正の内容】
【００８０】
次に、演算ＩＣ１０は、通常動作モードからスリープモードに移行し（Ｓ８０）、リアルタイムクロックＩＣ２０から計測終了信号（割り込み信号）を受信するまで待機する（Ｓ９０のＮ）。
リアルタイムクロックＩＣ２０はタイマー２２の計測が終了すると、演算ＩＣ１０に計測終了信号（割り込み信号）を送信する。演算ＩＣ１０は、この計測終了信号（割り込み信号）を受信すると（Ｓ９０のＹ）、スリープモードから通常動作モードに移行し（Ｓ１００）、再び、ステップＳ１０以降の処理を行う。
【手続補正４】
【補正対象書類名】明細書
【補正対象項目名】００８３
【補正方法】変更
【補正の内容】
【００８３】
本実施形態では、表示する時刻が８時３０分から８時３９分までの場合には、“Ｅｉｇｈｔ”の時画像データ７０として、図１７に示す時画像データ７０を用いている。また、表示する時刻が８時００分から８時２９分まで、また、８時４０分から８時５９分の場合には、“Ｅｉｇｈｔ”の時画像データ７０として、図１６に示す時画像データ７０を用いている。
このように構成することによって、例えば時刻が８時３３分の場合には、図１５に示すように、時画像データ７０のフォントと分画像データ８０のフォントが重ならず、時分表示を見易くすることが可能になる。
【手続補正５】
【補正対象書類名】明細書
【補正対象項目名】００８８
【補正方法】変更
【補正の内容】
【００８８】
一方、表示する時刻が２０時３０分から３９分までの場合には、演算ＩＣ１０は時表示テーブル９１から調整番号として「２６」を読み取り、時表示位置調整テーブル９２からマクロ名としてＥＭＡＣ＿ＡＰＰＥＮＤ＿Ａ０２６を読み取る。そして、演算ＩＣ１０は、ＥＭＡＣ＿ＡＰＰＥＮＤ＿Ａ０２６のマクロ名に対応するマクロ命令をフラッシュＲＯＭ３２から読み取り、描画ＩＣ３０に出力する。描画ＩＣ３０は、ＥＭＡＣ＿ＡＰＰＥＮＤ＿Ａ０２６のマクロ名に対応するマクロ命令を実行し、時画像データ７０としてＨＯＵＲ＿Ｂ＿１３．ｂｍｐの画像データを描画する。この際、画像データを原点のＸＹ座標が（Ｘ１３，Ｙ１３）となるように、すなわち第１の位置とは異なる第２の位置になるように描画する。ＨＯＵＲ＿Ｂ＿１３．ｂｍｐは、図１７に示す“Ｅｉｇｈｔ”の時画像データ７０に相当している。その結果、表示する時刻が２０時３０分から３９分までの場合には、図１５に示すように、“Ｅｉｇｈｔ”のフォント位置が調整された時画像データ７０が使用されることになり、時画像データ７０のフォントと分画像データ８０のフォントが重ならず、時刻表示を見易くすることが可能になる。
【手続補正６】
【補正対象書類名】明細書
【補正対象項目名】００８９
【補正方法】変更
【補正の内容】
【００８９】
なお、本実施形態では、一例として“Ｅｉｇｈｔ”の時画像データ７０を二種類用意する例について説明したが、同一の時表示に対して、三種類以上の時画像データ７０を用意するようにしてもよい。また、本実施形態では、一例として、８時の表示に対応する“Ｅｉｇｈｔ”の時画像データ７０について説明したが、他の時間に対応する時画像データ７０であっても、使用するフォントに長く伸びた部分が存在する場合には、時画像データ７０を複数種類用意するようにしてもよい。さらに、分画像データ８０についても複数種類用意して、表示する時刻に応じてフォントの位置の異なる分画像データ８０を用いるようにしてもよい。
また、本実施形態では、原点７３と時画像データ自体の原点７１との距離が“Ｅｉｇｈｔ”の標準位置よりも遠い位置に設定された時画像データを用意したが、デザイン的に適切に表示される位置に設定されていればよい。
【手続補正７】
【補正対象書類名】明細書
【補正対象項目名】００９３
【補正方法】変更
【補正の内容】
【００９３】
＜第２実施形態＞
本発明の第２実施形態について図１８ないし図２１を参照しつつ説明する。本実施形態は、時画像データ７０として、フォントの位置が異なる複数の時画像データ７０を用いるのではなく、フォント自体が異なる複数の時画像データ７０を用いる実施形態である。
本実施形態においては、６時に対応する時画像データ７０は、図２０に示す時画像データ７０を標準の時画像データに設定している。図２０に示すように、６時に対応する標準の時画像データ７０は“Ｓｉｘ”のうちの“ｘ”の字の一部が下方に長く伸びたフォントを用いている。このような標準の時画像データ７０を用いると、例えば時刻が６時５８分の場合には、図１８に示すように、“ｘ”の字の下方に長く伸びた部分が、５８分を表す“ｆｉｆｔｙ−ｅｉｇｈｔ”の最初の“ｆ”の字と重なってしまい、見辛くなってしまう。
【手続補正８】
【補正対象書類名】明細書
【補正対象項目名】００９４
【補正方法】変更
【補正の内容】
【００９４】
そこで、本実施形態では、６時に対応する標準の時画像データ７０の他に、図２１に示す標準の時画像データ７０とは異なる時画像データ７０を用意しておき、時刻が６時５８分の場合のように文字の重なりが生じる場合には、図２１に示す標準の時画像データ７０とは異なる時画像データ７０を用いる。図２１に示す時画像データ７０は、“Ｓｉｘ”のうちの“ｘ”の字の一部が下方に長く伸びていないフォントを用いている。
このような時画像データ７０を用いることにより、図１９に示すように６時を表す“Ｓｉｘ”と５８分を表す“ｆｉｆｔｙ−ｅｉｇｈｔ”とに重なる部分がなくなり、時刻表示を見易くすることが可能となる。
【手続補正９】
【補正対象書類名】明細書
【補正対象項目名】００９６
【補正方法】変更
【補正の内容】
【００９６】
そして、図１１に示す時表示テーブル９１においては、例えば、６時００分から６時３９分までは調整番号として「２０」を記載し、６時４０分から６時５９分までは調整番号として「１２」を記載しておく。このように構成することにより、分表示として“ｆ”の文字で始まる４０分から５９分までは、時画像データ７０としてＨＯＵＲ＿Ｂ＿１２．ｂｍｐが用いられることになり、図１９に示すように、６時を表す“Ｓｉｘ”と５８分を表す“ｆｉｆｔｙ−ｅｉｇｈｔ”とに重なる部分がなくなり、時刻表示を見易くすることが可能となる。
【手続補正１０】
【補正対象書類名】明細書
【補正対象項目名】０１２４
【補正方法】変更
【補正の内容】
【０１２４】
（応用例）
本発明を応用した電子機器を以下に例示する。図２９及び図３０には、以上に例示した電気泳動表示装置７を採用した電子機器の外観が図示されている。
図２９は、電気泳動表示装置７を利用した携帯型の情報端末（電子書籍）３１０の斜視図である。図２９に示すように、情報端末３１０は、利用者が操作する操作子３１２と、表示部３１４に画像を表示する電気泳動表示装置７とを含んで構成される。操作子３１２が操作されると表示部３１４の表示画像が変更される。
図３０は、電気泳動表示装置７を利用した電子ペーパー３２０の斜視図である。図３０に示すように、電子ペーパー３２０は、可撓性の基板（シート）３２２の表面に形成された電気泳動表示装置７を含んで構成される。電子ペーパー３２０においては、表示部３２５に画像が表示される。
本発明が適用される電子機器は以上の例示に限定されない。例えば、携帯電話機や時計（腕時計），携帯型の音響再生装置，電子手帳，タッチパネル搭載型の表示装置、リストに装着するタイプのスポーツ機器、ウェアラブル機器等の各種の電子機器に本発明を採用することが可能である。
また、本発明の表示部は、電気泳動表示装置に限定されるものではなく、メモリー性を有するエレクトロクロミック表示装置、あるいは液晶表示装置にも適用可能である。
【手続補正１１】
【補正対象書類名】図面
【補正対象項目名】図３
【補正方法】変更
【補正の内容】
【図３】
2016148516.tif 000001